(57)【特許請求の範囲】
【請求項１】
光ノードと、この光ノード間を相互に接続する波長多重されたリンクとを備えた光通信ネットワークにおいて、
発側の光ノードは、自光ノードと着側の光ノードとの間の経路に含まれる光ノードの空波長情報を収集するパケットを生成する手段を備え、
前記経路に含まれる光ノードは、自光ノードの空波長情報を前記パケットに書込んで前記着側の光ノードに向けて転送する手段を備え、
前記着側の光ノードは、
前記パケットに書込まれた空波長情報に基づき前記経路における最も波長変換数の少ない空波長を選択する手段と、
この選択する手段の選択結果を前記経路に含まれる光ノードにそれぞれ通知する手段と
を備え、
前記経路に含まれる光ノードは、それぞれ前記通知する手段により通知された空波長情報に基づき波長を設定する手段を備え、
前記経路に含まれる光ノードは、空波長情報を前記パケットに書き込む際に、当該空波長を前記通知する手段による通知が行われるまでの間、空波長のまま保留する手段を備えた
ことを特徴とする光通信ネットワーク。
【請求項２】
光ノードと、この光ノード間を相互に接続する波長多重されたリンクとを備えた光通信ネットワークにおいて、
発側の光ノードは、自光ノードと着側の光ノードとの間の経路に含まれる光ノードの空波長情報を収集するパケットを生成する手段を備え、前記経路に含まれる光ノードは、自光ノードの空波長情報を前記パケットに書込んで前記着側の光ノードに向けて転送する手段を備え、
前記着側の光ノードは、
前記パケットに書込まれた空波長情報に基づき前記経路における最も波長変換数の少ない空波長を選択する手段と、
この選択する手段の選択結果を前記経路に含まれる光ノードにそれぞれ通知する手段と
を備え、
前記経路に含まれる光ノードは、それぞれ前記通知する手段により通知された空波長情報に基づき波長を設定する手段を備え、
前記選択する手段は、前記経路内に光信号をいったん電気信号に変換する処理を要する前記光ノードを含むときには、当該光ノードを波長変換を行う前記光ノードの候補とする手段を備えた
ことを特徴とする光通信ネットワーク。
【請求項３】
光ノードと、この光ノード間を相互に接続する波長多重されたリンクとを備えた光通信ネットワークに適用され、
発側の光ノードとして、自己と着側の光ノードとの間の経路に含まれる光ノードの空波長情報を収集するパケットを生成する手段を備え、
前記経路に含まれる光ノードとして、自己の空波長情報を前記パケットに書込んで前記着側の光ノードに向けて転送する手段を備え、
前記着側の光ノードとして、前記パケットに書込まれた空波長情報に基づき前記経路における最も波長変換数の少ない空波長を選択する手段と、
この選択する手段の選択結果を前記経路に含まれる光ノードにそれぞれ通知する手段と
を備え、
前記経路に含まれる光ノードとして、前記通知する手段により通知された空波長情報に基づき波長を設定する手段を備え、
前記経路に含まれる光ノードとして、空波長情報を前記パケットに書き込む際に、当該空波長を前記通知する手段による通知が行われるまでの間、空波長のまま保留する手段を備えた
ことを特徴とする光ノード。
【請求項４】
光ノードと、この光ノード間を相互に接続する波長多重されたリンクとを備えた光通信ネットワークに適用され、
発側の光ノードとして、自己と着側の光ノードとの間の経路に含まれる光ノードの空波長情報を収集するパケットを生成する手段を備え、
前記経路に含まれる光ノードとして、自己の空波長情報を前記パケットに書込んで前記着側の光ノードに向けて転送する手段を備え、
前記着側の光ノードとして、前記パケットに書込まれた空波長情報に基づき前記経路における最も波長変換数の少ない空波長を選択する手段と、
この選択する手段の選択結果を前記経路に含まれる光ノードにそれぞれ通知する手段と
を備え、
前記経路に含まれる光ノードとして、前記通知する手段により通知された空波長情報に基づき波長を設定する手段を備え、
前記選択する手段は、前記経路内に光信号をいったん電気信号に変換する処理を要する前記光ノードを含むときには、当該光ノードを波長変換を行う前記光ノードの候補とする手段を備えた
ことを特徴とする光ノード。
【請求項５】
情報処理装置にインストールすることにより、その情報処理装置に、光通信ネットワークに適用される光ノードに相応する機能として、
発側の光ノードに相応する機能として、自己と着側の光ノードとの間の前記経路に含まれる光ノードの空波長情報を収集するパケットを生成する機能を実現させ、
前記経路に含まれる光ノードに相応する機能として、自己の空波長情報を前記パケットに書込んで前記着側の光ノードに向けて転送する機能を実現させ、
前記着側の光ノードに相応する機能として、
前記パケットに書込まれた空波長情報に基づき前記経路における最も波長変換数の少ない空波長を選択する機能と、
この選択する機能の選択結果を前記経路に含まれる光ノードにそれぞれ通知する機能と
を実現させ、
前記経路に含まれる光ノードに相応する機能として、前記通知する機能により通知された空波長情報に基づき波長を設定する機能を実現させ、
前記経路に含まれる光ノードに相応する機能として、空波長情報を前記パケットに書き込む際に、当該空波長を前記通知する機能による通知が行われるまでの間、空波長のまま保留する機能を実現させる
ことを特徴とするプログラム。
【請求項６】
情報処理装置にインストールすることにより、その情報処理装置に、光通信ネットワークに適用される光ノードに相応する機能として、
発側の光ノードに相応する機能として、自己と着側の光ノードとの間の前記経路に含まれる光ノードの空波長情報を収集するパケットを生成する機能を実現させ、
前記経路に含まれる光ノードに相応する機能として、自己の空波長情報を前記パケットに書込んで前記着側の光ノードに向けて転送する機能を実現させ、
前記着側の光ノードに相応する機能として、
前記パケットに書込まれた空波長情報に基づき前記経路における最も波長変換数の少ない空波長を選択する機能と、
この選択する機能の選択結果を前記経路に含まれる光ノードにそれぞれ通知する機能と
を実現させ、
前記経路に含まれる光ノードに相応する機能として、前記通知する機能により通知された空波長情報に基づき波長を設定する機能を実現させ、
前記選択する機能として、前記経路内に光信号をいったん電気信号に変換する処理を要する前記光ノードを含むときには、当該光ノードを波長変換を行う前記光ノードの候補とする機能を実現させる
ことを特徴とするプログラム。
【請求項７】
請求項５または６記載のプログラムが記録された前記情報処理装置読み取り可能な記録媒体。
【請求項８】
光ノードと、この光ノード間を相互に接続する波長多重されたリンクとを備えた光通信ネットワークに適用される光波長パス設定方法において、
発側の光ノードにより、自光ノードと着側の光ノードとの間の経路に含まれる光ノードの空波長情報を収集するパケットを生成し、
前記経路に含まれる光ノードにより、自光ノードの空波長情報を前記パケットに書込んで前記着側の光ノードに向けて転送し、
前記着側の光ノードにより、
前記パケットに書込まれた空波長情報に基づき前記経路における最も波長変換数の少ない空波長を選択し、
この選択結果を前記経路に含まれる光ノードにそれぞれ通知し、
前記経路に含まれる光ノードは、それぞれ通知された空波長情報に基づき波長を設定し、
前記経路に含まれる光ノードは、空波長情報を前記パケットに書き込む際に、当該空波長を前記通知が行われるまでの間、空波長のまま保留する
ことを特徴とする光波長パス設定方法。
【請求項９】
光ノードと、この光ノード間を相互に接続する波長多重されたリンクとを備えた光通信ネットワークに適用される光波長パス設定方法において、
発側の光ノードにより、自光ノードと着側の光ノードとの間の経路に含まれる光ノードの空波長情報を収集するパケットを生成し、前記経路に含まれる光ノードにより、自光ノードの空波長情報を前記パケットに書込んで前記着側の光ノードに向けて転送し、
前記着側の光ノードにより、
前記パケットに書込まれた空波長情報に基づき前記経路における最も波長変換数の少ない空波長を選択し、
この選択結果を前記経路に含まれる光ノードにそれぞれ通知し、
前記経路に含まれる光ノードは、それぞれ通知された空波長情報に基づき波長を設定し、
前記経路内に光信号をいったん電気信号に変換する処理を要する前記光ノードを含むときには、当該光ノードを波長変換を行う前記光ノードの候補とする
ことを特徴とする光波長パス設定方法。
【発明の詳細な説明】
【０００１】
【発明の属する技術分野】
本発明はＲＳＶＰ(Resource Reservation Protocol)による光通信に利用する。特に、光波長選択技術に関する。
【０００２】
【従来の技術】
従来のＲＳＶＰにおける波長選択の動作を図７に示す。シグナリング用のＲＳＶＰはリンクバイリンクで波長を選択する。光ノードＡでは、空波長λ１〜λ４の波長のうち、ランダムもしくは、若番のλ１を使用し、光ノードＢへ接続する。光ノードＢでは、できるだけ波長変換を使わないために、同じ波長λ１を探し、たまたま空いていた波長λ１を接続する。
【０００３】
一方、光ノードＣでは、あいにく空波長はλ３〜λ５であるため、いかなる波長を選択しても、波長変換が必要となる。これらの結果、波長リレーとしてはλ１→λ１→λ３となり、光ノードＣでは波長変換を必要とする。
【０００４】
【発明が解決しようとする課題】
従来の波長選択は、発側の光ノードから着側の光ノードに向けて各光ノードが自律的に空波長を選択している。したがって、発側の光ノードが如何なる波長を選択すれば、着側の光ノードまでの経路で最も波長変換数を減らすことができるかといった考慮は全く行われない。例えば、図７の例では、発側の光ノードが波長λ３を選択していれば、λ３→λ３→λ３の波長リレーとなり、一切の波長変換を必要としない。しかし、従来は、このような波長選択を意図的に行うことはできない。
【０００５】
本発明は、このような背景に行われたものであって、波長変換数を最も少なくした波長選択を行い、伝送効率の良い波長リレーを作成することができる光通信ネットワークおよび光ノードおよびプログラムおよび記録媒体および光波長パス設定方法を提供することを目的とする。
【０００６】
【課題を解決するための手段】
本発明は、発側の光ノードと、この発側の光ノードと着側の光ノードとの間の経路に含まれる複数の光ノードとが空波長情報を互いに交換し合い、その空波長の中から最も波長変換数の少ない波長を選択することにより、伝送効率の良い波長リレーを作成することを特徴とする。さらに、どうしても波長変換が必要である場合には、その波長変換箇所が３Ｒ(Reshaping/Retiming/Regenerating)処理などの光信号をいったん電気信号に変換する処理を必要とする光ノードと一致するようにし、波長変換に伴う伝送効率の低下を極力回避することができる。
【０００７】
本明細書における発側の光ノードおよび着側の光ノードとは、データ転送に先立ってパス設定のためのリクエストを送出する側の光ノードを発側の光ノードといい、このリクエストの終端先となる光ノードを着側の光ノードという。パス設定後におけるデータ転送の際には、発側の光ノードまたは着側の光ノードのいずれもがデータ発信元またはデータ受信先になることができる。また、設定されたパスは、単方向パスであっても双方向パスであってもよい。
【０００８】
すなわち、本発明の第一の観点は、光ノードと、この光ノード間を相互に接続する波長多重されたリンクとを備えた光通信ネットワークであって、本発明の特徴とするところは、発側の光ノードは、自光ノードと着側の光ノードとの間の経路に含まれる光ノードの空波長情報を収集するパケットを生成する手段を備え、前記経路に含まれる光ノードは、自光ノードの空波長情報を前記パケットに書込んで前記着側の光ノードに向けて転送する手段を備え、前記着側の光ノードは、前記パケットに書込まれた空波長情報に基づき前記経路における最も波長変換数の少ない空波長を選択する手段と、この選択する手段の選択結果を前記経路に含まれる光ノードにそれぞれ通知する手段とを備え、前記経路に含まれる光ノードは、それぞれ前記通知する手段により通知された空波長情報に基づき波長を設定する手段を備えたところにある。
【０００９】
前記経路に含まれる光ノードは、空波長情報を前記パケットに書き込む際に、当該空波長を前記通知する手段による通知が行われるまでの間、空波長のまま保留する手段を備えることもできる。
【００１０】
これによれば、空波長情報を収集している間に、その空波長の状況が変化してしまうことを回避でき、空波長情報の信頼度を高めることができる。
【００１１】
前記選択する手段は、前記経路内に光信号をいったん電気信号に変換する処理を要する前記光ノードを含むときには、当該光ノードを波長変換を行う前記光ノードの候補とする手段を備えることが望ましい。
【００１２】
これによれば、３Ｒ処理のような光信号をいったん電気信号に変換する処理を行う光ノードでついでに波長変換を行うことができるため、波長変換に伴う伝送効率の低下を極力回避することができる。
【００１３】
本発明の第二の観点は光ノードであって、本発明の特徴とするところは、光ノードと、この光ノード間を相互に接続する波長多重されたリンクとを備えた光通信ネットワークに適用され、発側の光ノードとして、自己と着側の光ノードとの間の経路に含まれる光ノードの空波長情報を収集するパケットを生成する手段を備え、前記経路に含まれる光ノードとして、自己の空波長情報を前記パケットに書込んで前記着側の光ノードに向けて転送する手段を備え、前記着側の光ノードとして、前記パケットに書込まれた空波長情報に基づき前記経路における最も波長変換数の少ない空波長を選択する手段と、この選択する手段の選択結果を前記経路に含まれる光ノードにそれぞれ通知する手段とを備え、前記経路に含まれる光ノードとして、前記通知する手段により通知された空波長情報に基づき波長を設定する手段を備えたところにある。
【００１４】
前記経路に含まれる光ノードとして、空波長情報を前記パケットに書き込む際に、当該空波長を前記通知する手段による通知が行われるまでの間、空波長のまま保留する手段を備えることもできる。
【００１５】
前記選択する手段は、前記経路内に光信号をいったん電気信号に変換する処理を要する前記光ノードを含むときには、当該光ノードを波長変換を行う前記光ノードの候補とする手段を備えることが望ましい。
【００１６】
本発明の第三の観点はプログラムであって、本発明の特徴とするところは、情報処理装置にインストールすることにより、その情報処理装置に、光通信ネットワークに適用される光ノードに相応する機能として、発側の光ノードに相応する機能として、自己と着側の光ノードとの間の経路に含まれる光ノードの空波長情報を収集するパケットを生成する機能を実現させ、前記経路に含まれる光ノードとして、自己の空波長情報を前記パケットに書込んで前記着側の光ノードに向けて転送する機能を実現させ、前記着側の光ノードに相応する機能として、前記パケットに書込まれた空波長情報に基づき前記経路における最も波長変換数の少ない空波長を選択する機能と、この選択する機能の選択結果を前記経路に含まれる光ノードにそれぞれ通知する機能とを実現させ、前記経路に含まれる光ノードに相応する機能として、前記通知する機能により通知された空波長情報に基づき波長を設定する機能を実現させるところにある。
【００１７】
前記経路に含まれる光ノードに相応する機能として、空波長情報を前記パケットに書き込む際に、当該空波長を前記通知する機能による通知が行われるまでの間、空波長のまま保留する機能を実現させることもできる。
【００１８】
前記選択する機能として、前記経路内に光信号をいったん電気信号に変換する処理を要する前記光ノードを含むときには、当該光ノードを波長変換を行う前記光ノードの候補とする機能を実現させることが望ましい。
【００１９】
本発明の第四の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００２０】
これにより、コンピュータ装置等の情報処理装置により、波長変換数を最も少なくした波長選択を行い、伝送効率の良い波長リレーを作成することができる光通信ネットワークおよび光ノードを実現することができる。
【００２１】
本発明の第五の観点は、光ノードと、この光ノード間を相互に接続する波長多重されたリンクとを備えた光通信ネットワークに適用される光波長パス設定方法である。
【００２２】
ここで、本発明の特徴とするところは、発側の光ノードにより、自光ノードと着側の光ノードとの間の経路に含まれる光ノードの空波長情報を収集するパケットを生成し、前記経路に含まれる光ノードにより、自光ノードの空波長情報を前記パケットに書込んで前記着側の光ノードに向けて転送し、前記着側の光ノードにより、前記パケットに書込まれた空波長情報に基づき前記経路における最も波長変換数の少ない空波長を選択し、この選択結果を前記経路に含まれる光ノードにそれぞれ通知し、前記経路に含まれる光ノードは、それぞれ通知された空波長情報に基づき波長を設定するところにある。
【００２３】
前記経路に含まれる光ノードは、空波長情報を前記パケットに書き込む際に、当該空波長を前記通知が行われるまでの間、空波長のまま保留することが望ましい。
【００２４】
前記経路内に光信号をいったん電気信号に変換する処理を要する前記光ノードを含むときには、当該光ノードを波長変換を行う前記光ノードの候補とすることが望ましい。
【００２５】
【発明の実施の形態】
（第一実施例）
本発明第一実施例を図１ないし図３を参照して説明する。図１は第一実施例の光通信ネットワークにおける波長選択手順を説明するための図である。図２は第一実施例の光ノードのブロック構成図である。図３は空波長情報収集用パケットを説明するための図である。
【００２６】
第一実施例は、図１に示すように、光ノードＡ〜Ｄと、この光ノードＡ〜Ｄ間を相互に接続する波長多重されたリンクとを備えた光通信ネットワークであって、第一実施例の特徴とするところは、発側の光ノードＡは、図２に示すように、自光ノードＡと着側の光ノードＤとの間の経路に含まれる光ノードＡ〜Ｃの空波長情報を収集するパケットを生成する情報収集パケット生成部１を備え、前記経路に含まれる光ノードＡ〜Ｃは、それぞれ自光ノードの空波長情報を前記パケットに書込んで着側の光ノードＤに向けて転送する空波長情報書込部２を備え、着側の光ノードＤは、前記パケットに書込まれた空波長情報に基づき前記経路における最も波長変換数の少ない空波長を選択する波長選択部３と、この波長選択部３の選択結果を前記経路に含まれる光ノードＡ〜Ｃにそれぞれ通知する波長情報通知部４とを備え、前記経路に含まれる光ノードＡ〜Ｃは、それぞれ波長情報通知部４により通知された空波長情報に基づき波長を設定する波長設定部５を備えたところにある。
【００２７】
なお、本実施例では、説明をわかりやすくするために、発側の光ノードＡ、着側の光ノードＤ、中継の光ノードＢ、Ｃとしてそれぞれ異なる構成であるかのように説明するが、実際には、同じ構成の光ノードが自己の役割に応じてこれらの光ノードの構成を実現する。図３に空波長収集用パケットのフォーマットを示す。
【００２８】
次に、第一実施例の光ノードの動作を説明する。発側の光ノードＡがデータ転送を行うときには、データ転送に先立って波長リレーを作成する。本実施例では、光ノードＡの情報収集パケット生成部１により情報収集用パケットが生成される。このとき、光ノードＡの空波長情報書込部２は、情報収集用パケットに光ノードＡにおける空波長情報を書込み光ノードＢに転送する。図１の例では、光ノードＡにおける空波長はλ１〜λ４である。
【００２９】
光ノードＢの空波長情報書込部２が光ノードＡからの情報収集用パケットを受け取ると、光ノードＢにおける空波長情報を書込み光ノードＣに転送する。図１の例では、光ノードＢにおける空波長はλ１〜λ３である。同様に、光ノードＣでも情報収集用パケットに光ノードＣにおける空波長情報を書込み光ノードＤに転送する。図１の例では、光ノードＣにおける空波長はλ３〜λ５である。
【００３０】
光ノードＤの波長選択部３が情報収集用パケットを受け取ると、そこに書込まれた光ノードＡ〜Ｃの空波長情報を読み取り、波長選択を行う。この波長選択は、できるだけ少ない波長変換数により波長を選択するというポリシによって行われる。これにより波長λ３が選択される。
【００３１】
波長選択部３により選択された波長λ３の情報は、波長情報通知部４から設定波長情報伝達用パケットに書込まれて発側の光ノードＡに向けて送出される。これには、ＲＳＶＰにおける通常のシグナリングパケットが用いられる。この設定波長情報伝達用パケットを受け取った光ノードＡ〜Ｃの波長設定部５は、光ノードＡから光ノードＤに向かうデータを伝送するための波長としてそれぞれλ３を設定する。これにより、光ノードＡから光ノードＤまで波長変換を行うことなく、効率の良いデータ伝送が行われる。図２の例ではλ３のみの波長リレーにより、光ノードＡからＤへの単方向パスが設定される。
【００３２】
（第二実施例）
本発明第二実施例を図５を参照して説明する。図５は第二実施例の光ノードのブロック構成図である。第二実施例の光通信ネットワークでは、発側の光ノードＡから着側の光ノードＤに至る経路に含まれる光ノードＡ〜Ｃは、空波長情報を情報収集用パケットに書き込む際に、書込んだ当該空波長を波長情報通知部４から設定波長情報伝達用パケットによる通知が行われるまでの間、空波長のまま保留する空波長保留部６を備える。これにより、空波長情報収集期間中に空波長の状況が変化してしまうことを回避し、空波長情報の信頼性を向上させ、当該空波長が他のコネクションと重複して使用されることを防ぐ。
【００３３】
（第三実施例）
本発明第三実施例を図６を参照して説明する。図６は第三実施例の動作を示すフローチャートである。第三実施例の光通信ネットワークでは、波長選択部３は、経路内に光信号をいったん電気信号に変換する処理を要する光ノードを含むときには、当該光ノードを波長変換を行う候補とする。
【００３４】
すなわち、光通信ネットワークは、光ファイバの分散や、スイッチ等によりロスが生じる。そのために、無制限に無中継な伝送区間を増やすことはできず、ある一定段数毎に波長変換もしくは少なくとも３Ｒ処理が必要である。そのため波長変換をどこかで入れる必要がある場合は、図６のフローにあるように、無中継不可能な場所を１つの候補とする。このことにより、効率的な波長変換を実現できる。
【００３５】
（第四実施例）
本実施例の光ノードは情報処理装置であるコンピュータ装置により実現することができる。すなわち、コンピュータ装置にインストールすることにより、そのコンピュータ装置に、光通信ネットワークに適用される第一実施例の光ノードに相応する機能として、発側の光ノードＡに相応する機能として、自己と着側の光ノードＤとの間の経路に含まれる光ノードＡ〜Ｃの空波長情報を収集するパケットを生成する情報収集パケット生成部１に相応する機能を実現させ、前記経路に含まれる光ノードＡ〜Ｃに相応する機能として、自己の空波長情報を前記パケットに書込んで着側の光ノードＤに向けて転送する空波長情報書込部２に相応する機能を実現させ、着側の光ノードＤに相応する機能として、前記パケットに書込まれた空波長情報に基づき前記経路における最も波長変換数の少ない空波長を選択する波長選択部３に相応する機能と、この波長選択部３の選択結果を前記経路に含まれる光ノードＡ〜Ｃにそれぞれ通知する波長情報通知部４に相応する機能とを実現させ、前記経路に含まれる光ノードＡ〜Ｃに相応する機能として、波長情報通知部４により通知された空波長情報に基づき波長を設定する波長設定部５に相応する機能を実現させるプログラムをコンピュータ装置にインストールすることにより、そのコンピュータ装置を第一実施例の光ノードに相応する装置とすることができる。
【００３６】
さらに、前記経路に含まれる光ノードＡ〜Ｃに相応する機能として、空波長情報を前記パケットに書き込む際に、当該空波長を波長情報通知部４による通知が行われるまでの間、空波長のまま保留する空波長保留部６に相応する機能を実現させるプログラムをコンピュータ装置にインストールすることにより、そのコンピュータ装置を第二実施例の光ノードに相応する装置とすることができる。
【００３７】
さらに、波長選択部３に相応する機能として、前記経路内に光信号をいったん電気信号に変換する処理を要する光ノードを含むときには、当該光ノードを波長変換を行う光ノードの候補とする機能を実現させるプログラムをコンピュータ装置にインストールすることにより、そのコンピュータ装置を第三実施例の光ノードに相応する装置とすることができる。
【００３８】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００３９】
これにより、コンピュータ装置により、波長変換数を最も少なくした波長選択を行い、伝送効率の良い波長リレーを作成することができる光通信ネットワークおよび光ノードを実現することができる。
【００４０】
【発明の効果】
以上説明したように、本発明によれば、波長変換数を最も少なくした波長選択を行い、伝送効率の良い波長リレーを作成することができる。
【図面の簡単な説明】
【図１】第一実施例の光通信ネットワークの波長選択手順を説明するための図。
【図２】第一実施例の光通信ネットワークの光ノードのブロック構成図。
【図３】本実施例の光波長収集用パケットを説明するための図。
【図４】第二実施例の光通信ネットワークの波長選択手順を説明するための図。
【図５】第二実施例の光通信ネットワークの光ノードのブロック構成図。
【図６】第三実施例の動作を示すフローチャート。
【図７】従来の波長選択手順を説明するための図。
【符号の説明】
１  情報収集パケット生成部
２  空波長情報書込部
３  波長選択部
４  波長情報通知部
５  波長設定部
６  空波長保留部
【図１】
0003722758.tif 000002
【図２】
0003722758.tif 000003
【図３】
0003722758.tif 000004
【図４】
0003722758.tif 000005
【図５】
0003722758.tif 000006
【図６】
0003722758.tif 000007
【図７】
0003722758.tif 000008